(57)【要約】【課題】玄米等の穀粒を選別する揚穀選別機にあっては、比較的回転径の小さい螺旋軸や、この螺旋軸を内装する選別筒等を構成する。しかも、穀粒の選別取出口位置を規格の袋高位置に合うように高位置に設定して、袋受、袋詰交換等の作業の行い易い構成とすることを要する。このように揚穀選別機が高く長くなると作業姿勢が不安定となり、複数種の選別粒の取出袋詰作業スペースが取り難いものである。【解決手段】基台１上のモータ２によって駆動回転されながら、揚穀する螺旋軸３に沿って、適宜高さ域には揚穀供給漏斗４を有して揚穀案内する揚穀筒５を設け、この上方には、この揚穀筒５からの揚穀を受継搬送しながら選別する選別筒６と、この選別される整粒と屑粒を取出す整粒口７と屑粒口８を設けたことを特徴とする揚穀選別機。【選択図】図１
2009061434.tif 000002
【特許請求の範囲】
【請求項１】
基台（１）上のモータ（２）によって駆動回転されながら、軸方向へ揚穀する螺旋軸（３）に沿って、適宜高さ域には揚穀供給漏斗（４）を有して揚穀案内する揚穀筒（５）を設け、この上方には、この揚穀筒（５）からの揚穀を受継搬送しながら選別する選別筒（６）と、この選別される整粒と屑粒を取出す整粒口（７）と屑粒口（８）を設けたことを特徴とする揚穀選別機。
【請求項２】
前記螺旋軸（３）と、揚穀筒（５）、及び選別筒（６）を適宜の傾斜角度（Ａ）に設定し、この選別筒（６）の上、下端部に整粒口（７）、屑粒口（８）を設けたことを特徴とする請求項１に記載の揚穀選別機。
【請求項３】
前記基台（１）には、揚穀筒（５）の下方位置側に向けて据付面近くに沿って突出する支脚（９）を設けたことを特徴とする請求項１、又は２に記載の揚穀選別機。
【請求項４】
前記選別筒（６）で選別排出される糠を排出する除糠口（１０）を、前記揚穀筒（５）の下側部に設けたことを特徴とする請求項１、２又は３に記載の揚穀選別機。
【発明の詳細な説明】
【技術分野】
【０００１】
揚穀用の螺旋軸を有した揚穀筒と選別筒を連設して、揚穀しながら選別する揚穀選別機に関するもので、各選別穀粒の袋受取出作業を行い易くする。
【背景技術】
【０００２】
螺旋軸の回転によって傾斜選別筒内を揚穀しながら整粒、屑粒の選別を行う技術（例えば、特許文献１参照）が知られている。
【特許文献１】実公平８−１０３７１号公報（第２頁、図１）
【発明の開示】
【発明が解決しようとする課題】
【０００３】
玄米等の穀粒を選別する揚穀選別機にあっては、比較的回転径の小さい螺旋軸や、この螺旋軸を内装する選別筒等を構成する。しかも、穀粒の選別取出口位置を規格の袋高位置に合うように高位置に設定して、袋受、袋詰交換等の作業の行い易い構成とすることを要する。このように揚穀選別機が高く長くなると作業姿勢が不安定となり、複数種の選別粒の取出袋詰作業スペースが取り難いものである。
【課題を解決するための手段】
【０００４】
請求項１に記載の発明は、基台１上のモータ２によって駆動回転されながら、軸方向へ揚穀する螺旋軸３に沿って、適宜高さ域には揚穀供給漏斗４を有して揚穀案内する揚穀筒５を設け、この上方には、この揚穀筒５からの揚穀を受継搬送しながら選別する選別筒６と、この選別される整粒と屑粒を取出す整粒口７と屑粒口８を設けたことを特徴とする揚穀選別機の構成とする。揚穀筒５、及び選別筒６、これらの内部に軸装回転される螺旋軸３等は、基台１上に立設して、このモータ２によって螺旋軸３が回転されることにより、下部揚穀筒５の供給漏斗４に供給される穀粒を適宜の高さ域に揚穀する。この揚穀筒５を揚穀された穀粒を更に選別筒６内に受継搬送しながら整粒と屑粒等に選別して、整粒口７と屑粒口８から取出す。
【０００５】
請求項２に記載の発明は、前記螺旋軸３と、揚穀筒５、及び選別筒６を適宜の傾斜角度Ａに設定し、この選別筒６の上、下端部に整粒口７、屑粒口８を設けたことを特徴とする。一連に連設する揚穀筒５、及び選別筒６は、基台１の据付床面に対して傾斜角度Ａに傾斜維持されている。螺旋軸３の回転による揚穀作用はこの傾斜角度Ａに従って行われるため、屑粒口８と整粒口７との位置は、高低差だけでなく、基台１側に近い供給漏斗４からの間隔位置も異なる。これら揚穀螺旋軸３の沿った前後位置を異にした屑粒口８、整粒口７下に配置する袋に、各屑粒、整粒を流下して袋詰させる。
【０００６】
請求項３に記載の発明は、前記基台１には、揚穀筒５の下方位置側に向けて据付面近くに沿って突出する支脚９を設けたことを特徴とする。前記のように揚穀粒は、揚穀筒５、及び選別筒６内を揚穀搬送されながら選別されて、各屑粒口８や整粒口７から選別排出されて、これらの選別口の下方に設置される袋に供給される。この長尺形態の揚穀選別機は、これら揚穀方向に向けて傾斜するため、機体支持の重心位置がこの傾斜方向側に偏位するが、この下側には据付床面に沿う形態に低く形成された支脚９が基台１から突出形成されて、機体の立姿勢を支持する。この支脚９は、基台１の低部において前方方向へ突出するため、揚穀筒５や選別筒６等の傾斜側下方位置の袋詰作業スペースを広く維持し、袋詰作業時にこの支脚９が邪魔になり難い形態としたものである。
【０００７】
請求項４に記載の発明は、前記選別筒６で選別排出される糠を排出する除糠口１０を、前記揚穀筒５の下側部に設けたことを特徴とする。前記のように上部の選別筒６部で選別された整粒や屑粒は、各整粒口７、及び屑粒口８から取出されて、これらの整粒口７、及び屑粒口８下に用意される袋に受けられ収容される。又、この選別筒６で選別される糠は、除糠口１０から揚穀筒５の下部へ取出し、この除糠口１０に設置の袋に収容させる。
【発明の効果】
【０００８】
請求項１に記載の発明は、モータ２を有する基台１に適宜高さの揚穀筒５を支持させて、この上方に選別筒６を連設するものであるから、揚程が高くなってもこの揚穀筒５内の搬送では穀粒の損傷は少なくすることができ、この選別筒６における行程域を必要限度に短縮設定することができ、整粒口７や屑粒口８等の選別口の設定高さを決め易くして、袋詰作業等を行い易くすることができる。又、選別筒６を揚穀筒５の上方に連設するが、この選別筒６の長さを制限すると共に、揚穀量は選別筒６内部を揚穀されるに伴って、屑粒の選別分離が行われて、整粒のみが最上端の整粒口７から取出されるように、揚穀に従って順次減少されるため、長尺形態の揚穀選別機でありながら、安定した運転形態を維持することができる。
【０００９】
請求項２に記載の発明は、揚穀筒５と選別筒６は、一連に連設して高く形成されると共に、据付面に対して傾斜角度Ａに支持されるため、これらの傾斜方向に沿う前後位置を異にして、屑粒口８、整粒口７の前後位置間隔を設定し、袋詰作業位置や、袋詰位置等をこの傾斜の前後方向に沿って並べるように配置して、作業することができ、作業スペースを狭くして、作業を行い易くすることができる。
【００１０】
請求項３に記載の発明は、選別筒６の下部に揚穀筒５を連設して長尺形態の揚穀選別機として、これを適宜の傾斜角度Ａにして据付けて運転作業するもので、支脚９によって傾斜側の重心寄位置を支持して安定した姿勢に支持することができ、しかも、この支脚９は据付床面近くに接近して低く形成されるため、基台１の構成、及び支持域を小さく狭くし、袋詰作業等の邪魔になり難く、袋詰作業スペースを揚穀筒５、選別筒６の傾斜側下側に沿って狭く形成して、能率のよい作業を行うことができる。
【００１１】
請求項４に記載の発明は、揚穀筒５の上方に構成される選別筒６における選別、乃至この選別物の取出行程において除糠される糠を、基台１に近い揚穀筒５の下側部に設ける除糠口１０から排出させるものであるから、この除糠用袋を他の整粒袋、屑粒袋等と共に、傾斜する揚穀筒５、選別筒６の下側に沿って並置して選別物の取出、袋詰作業することができ、袋詰作業スペースを有効化し、作業を効率的に行うことができる。
【発明を実施するための最良の形態】
【００１２】
図例に基づいて、基台１上に適宜の傾斜角度Ａに立設する揚穀選別機は、下半部に揚穀筒５を、上半部に選別筒６を構成して、これらの内部に螺旋軸３を軸装して、下端部のモータ２によって回転駆動するもので、この螺旋軸３の回転によって揚穀筒５から選別筒６内へ揚穀しながら、玄米等の穀粒を整粒と屑粒等に選別ものである。この穀粒を供給するための供給漏斗４は揚穀筒５の下部に設け、屑粒を取出屑粒口８は選別筒６の下端部に設け、整粒口７は上端部に設けて、各屑粒口８、整粒口７から取出される選別粒を下側部に設置の袋で受けて袋詰収容するものである。
【００１３】
ここにおいて、この発明に係る揚穀選別機は、基台１上のモータ２によって駆動回転されながら、軸方向へ揚穀する螺旋軸３に沿って、適宜高さ域には揚穀供給漏斗４を有して揚穀案内する揚穀筒５を設け、この上方には、この揚穀筒５からの揚穀を受継搬送しながら選別する選別筒６と、この選別される整粒と屑粒を取出す整粒口７と屑粒口８を設けたことを特徴とする揚穀選別機の構成とする。揚穀筒５、及び選別筒６、これらの内部に軸装回転される螺旋軸３等は、基台１上に立設して、このモータ２によって螺旋軸３が回転されることにより、下部揚穀筒5の供給漏斗４に供給される穀粒を適宜の高さ域に揚穀する。この揚穀筒５を揚穀された穀粒を更に選別筒６内に受継搬送しながら整粒と屑粒等に選別して、整粒口７と屑粒口８から取出す。
【００１４】
又、前記螺旋軸３と、揚穀筒５、及び選別筒６を適宜の傾斜角度Ａに設定し、この選別筒６の上、下端部に整粒口７、屑粒口８を設けたことを特徴とする。一連に連設する揚穀筒５、及び選別筒６は、基台１の据付床面に対して傾斜角度Ａに傾斜維持されている。螺旋軸３の回転による揚穀作用はこの傾斜角度Ａに従って行われるため、屑粒口８と整粒口７との位置は、高低差だけでなく、基台１側に近い供給漏斗４からの間隔位置も異なる。これら揚穀螺旋軸３の沿った前後位置を異にした屑粒口８、整粒口７下に配置する袋に、各屑粒、整粒を流下して袋詰させる。
【００１５】
又、前記基台１には、前記基台１には、揚穀筒５の下方位置側に向けて据付面近くに沿って突出する支脚９を設けたことを特徴とする。前記のように揚穀粒は、揚穀筒５、及び選別筒６内を揚穀搬送されながら選別されて、各屑粒口８や整粒口７から選別排出されて、これらの選別口の下方に設置される袋に供給される。この長尺形態の揚穀選別機は、これら揚穀方向に向けて傾斜するため、機体支持の重心位置がこの傾斜方向側に偏位するが、この下側には据付床面に沿う形態に低く形成された支脚９が基台１から突出形成されて、機体の立姿勢を支持する。この支脚９は、基台１の低部において前方方向へ突出するため、揚穀筒５や選別筒６等の傾斜側下方位置の袋詰作業スペースを広く維持し、袋詰作業時にこの支脚９が邪魔になり難い形態としたものである。
【００１６】
又、前記選別筒６で選別排出される糠を排出する除糠口１０を、前記揚穀筒５の下側部に設けたことを特徴とする。前記のように上部の選別筒６部で選別された整粒や屑粒は、各整粒口７、及び屑粒口８から取出されて、これらの整粒口７、及び屑粒口８下に用意される袋に受けられ収容される。又、この選別筒６で選別される糠は、除糠口１０から揚穀筒５の下部へ取出し、この除糠口１０に設置の袋に収容させる。
【００１７】
前記基台１は、パイプ材を主体として、台形状の前後左右の支点支持脚１１，１２の接地支持形態に構成し、この前支持脚１１の下端部に前方、乃至前方外方へ突出の支脚９を形成している。この支脚９は、床面近くに沿って水平状に低く形成して、揚穀筒５の傾斜前方位置の重心位置近くを支持するように構成している。この基台１に取付ける電動ギヤドモータ２をモータカバー１３で覆っている。揚穀筒５と選別筒６は、螺旋軸３に沿って、一定の傾斜角度Ａのもとに連接されて、この揚穀筒５の下端部が基台部１に固定して取付けられる。揚穀筒５の径は、螺旋軸３による揚穀案内を行う比較的小径の形態に構成され、揚穀筒５の高さをこの上部の選別筒６における選別粒の取出作用、乃至整粒口７や、屑粒口８等の設置高さが、作業に適する位置になるように設定している。これら揚穀筒５、及び選別筒６に沿って設ける螺旋軸３の下端部をモータ２に連動して回転駆動することができる。又、選別筒６の上端部には排出筒２０を連接して、この排出筒２０に螺旋軸３の上端部を軸受けしている。
【００１８】
前記揚穀筒５には、玄米等の選別対象穀粒を供給する供給漏斗４を設け、この下側に残留物を取出す掃除口１６を、シャッター１７で開閉可能に設けている。この供給漏斗４は、選別筒を上下方向の螺旋軸の方向に沿わせて設ける縦型選別機を主選別機１４として取出される主選別物取出口１５等にのぞませることができるように構成している。玄米の種類や、作柄等によって、主選別機１４で選別された比較的小粒径の穀粒を、この揚穀選別機によって再度選別を行う場合等に用いられることが多い。又、前記揚穀筒５の高さは、玄米袋Ｂの高さや、この袋詰作業に適する高さに設定するもので、この揚穀筒５上に連接する選別筒６の整粒口７や、屑粒口８の高さを確保できるように設定している。
【００１９】
前記選別筒６は、この螺旋軸３の回り方向に沿って長く形成の長孔形態の選別孔を形成し、螺旋軸３の回転によって揚穀される穀粒を揚送案内しながら屑粒を、この選別孔から外周へ排出させる。この選別筒６内を上端の排出筒２０へ揚穀される整粒は、この排出筒２０の整粒口７から取出される。この選別筒６の外周部はカバー筒１９で覆われて、屑粒を流下案内して、下端の屑粒口８から排出させる。
【００２０】
前記屑粒口８には、屑粒シュート２１を設け、この屑粒シュート２１に除糠網２２、及び除糠シュート２３を設ける。この除糠シュート２３は揚穀筒５の下側面に沿って後側下位へ排出案内するように構成し、前記支脚９部に支持する比較的小容量の糠袋Ｃへ収容させることが出きる。前記整粒口７に設ける整粒シュート２４は、補助シュート２５を連接し、前記屑粒シュート２１の排出口高さと略同高さ位置に設定し、下方に設置する整粒袋Ｄに供給収容させることができる。これら整粒口７や、屑粒口８等の下方に設置する玄米袋はＤ，Ｂは通常一般的な規格の３０ｋｇ入り用の袋の高さとするため、これよりも適宜に高くした形態として構成する。又、前記糠袋Ｃを設置する場合は、一般的には該玄米袋Ｄ，Ｂよりも小さく低いサイズのものであることが多く、揚穀筒５の直下位置に設置して袋詰作業を行い易くしている。
【００２１】
主選別機１４で選別された比較的小粒径の小玄米が取出口１５から供給漏斗４へ供給されて、螺旋軸３の回転によって揚穀筒５を揚穀される。この玄米が揚穀筒５上端から選別筒６内に搬送されると、選別孔から屑玄米が漏出されて、整玄米のみが最上端の排出筒２０の整粒口７からシュート２４，２５等を流下して取出される。又、選別筒６の選別孔から漏出した屑玄米は、カバー筒１９内を流下して屑粒口８、及びこのシュート２１から取出される。このシュート２１を流下する間に除糠網２２によって除糠されて、糠は除糠口１０からシュート２３を介して揚穀筒５の下部側位置へ取出される。このように主選別機１４で主選別された小玄米を、揚穀選別機で副選別して、整粒と屑粒、及び糠等に選別するものである。これら各選別物を収容するために、予め各シュート２４，２１，２３等の下方に玄米袋Ｂ，Ｄや、糠袋Ｃ等を用意設置しておき、各袋Ｂ，Ｄ，Ｃが一杯になる毎に袋交換作業を行う。各袋Ｂ，Ｄ，Ｃは、揚穀筒５、選別筒６の下側に沿って前後に並列する形態に配置するため、袋詰作業スペースを狭くして、作業性を高めることができる。比較的収容量の大きい穀粒袋Ｄや、屑粒袋Ｂ等の袋口高さに合わせた整粒口７シュート２４や、屑粒口８シュート２１等の高さや、前後位置等を揚穀筒５の高さや、この揚穀筒５及び選別筒６の前後の傾斜角度Ａ等によって決めることができ、比較的長尺形態でありながら、揚穀筒５、及び選別筒６の径を小さくした細長い機幅形態として、据付場所を狭くして、作業性の良い選別機とすることができる。
【００２２】
次に図３に基づいて、前記揚穀筒５の周面に除糠網２６を設け、この除糠網２６から漏下する糠を、この揚穀筒５の外周を覆うカバー筒２７で受けて流下案内し、この下端の除糠シュート２３から流下させて袋Ｃ詰めする構成としてものである。又、前記遠別筒６の下端部の除糠網２２で漏出する糠を、この揚穀筒５外周のカバー筒２７内を案内させて除糠シュート２３から取出すように構成することも可能である。
【図面の簡単な説明】
【００２３】
【図１】揚穀選別機の側面図。
【図２】その平面図。
【図３】一部別例を示す側面図。
【符号の説明】
【００２４】
１    基台
２    モータ
３    螺旋軸
４    供給漏斗
５    揚穀筒
６    選別筒
７    整粒粒
８    屑粒口
９    支脚
１０  除糠口
【図１】
2009061434.tif 000003
【図２】
2009061434.tif 000004
【図３】
2009061434.tif 000005